(57)【要約】【課題】  ＩＣカードを収容したままでも、当該ＩＣカードを利用可能にすることができるカードケース、ＩＣカード及びＩＣカードユニットを提供すること。【解決手段】  ＩＣカード１がカードケース３０に収容された状態でカードケース３０の蓋部３２を開くと、ＩＣカード１の機能部と電源部とがケース本体に設けられた接続部によって電気的に接続され、ＩＣカード１の機能部に電力が供給される。また、ＩＣカード１がカードケース３０に収容された状態で蓋部３２を開くと、ＩＣカード１の指紋センサ７がカードケース３０の外部に露出し、カードケース３０の外部からでもＩＣカード１に生体情報（指紋）を取得させることが可能になる。これにより、ＩＣカード１をカードケース３０に収容したままでも、当該ＩＣカード１を利用することができる。【選択図】  図１１
2006189997.tif 000002
【特許請求の範囲】
【請求項１】
生体情報を取得する生体情報取得部を含み前記生体情報取得部から取得された生体情報を認証したときにカード外部との通信を行うように機能する機能部と、前記機能部に電力を供給する電源部とを有するＩＣカードを収容するカードケースであって、
前記ＩＣカードを収容可能であり、収容される前記ＩＣカードの前記生体情報取得部をケース外部に露出させるように前記生体情報取得部に平面的に重なる位置に開口部を有するケース本体と、
前記開口部を塞ぐように設けられ、開閉可能な蓋部と、
前記ケース本体に設けられ、前記ケース本体に収容される前記ＩＣカードの前記機能部に電気的に接続される機能部側電極と、
前記ケース本体に設けられ、前記ケース本体に収容される前記ＩＣカードの前記電源部に電気的に接続される電源部側電極と、
前記蓋部を開いた状態で、前記機能部側電極と前記電源部側電極とを電気的に接続する接続部と
を具備することを特徴とするカードケース。
【請求項２】
前記接続部が、前記蓋部を閉じた状態で、前記機能部側電極と前記電源部側電極とを電気的に遮断することを特徴とする請求項１に記載のカードケース。
【請求項３】
前記接続部が、
前記機能部側電極に接続され、前記開口部の近傍に端部を有する第１配線と、
前記電源部側電極に接続され、前記第１配線とは接続されないように前記開口部の近傍に端部を有する第２配線と、
前記蓋部を開いた状態で、前記第１配線の端部及び前記第２配線の端部に当接するように設けられた電極と
を有することを特徴とする請求項１又は請求項２に記載のカードケース。
【請求項４】
前記電極が、前記蓋部に設けられていることを特徴とする請求項３に記載のカードケース。
【請求項５】
基板と、
前記基板に設けられ、生体情報を取得する生体情報取得部を含み、前記生体情報取得部から取得された生体情報を認証したときにカード外部との通信を行うように機能する機能部と、
前記基板に設けられ、前記機能部に電力を供給する電源部と、
前記機能部に電気的に接続されるように前記基板に設けられ、請求項１乃至請求項４のうちいずれか一項に記載のカードケース内で、前記機能部側電極に電気的に接続される機能部側端子と、
前記電源部に電気的に接続されるように前記基板に設けられ、請求項１乃至請求項４のうちいずれか一項に記載のカードケース内で、前記電源部側電極に電気的に接続される電源部側端子と
を具備することを特徴とするＩＣカード。
【請求項６】
基板と、前記基板に設けられ生体情報を取得する生体情報取得部を含み前記生体情報取得部から取得された生体情報を認証したときにカード外部との通信を行うように機能する機能部と、前記基板に設けられ前記機能部に電力を供給する電源部と、前記基板に設けられ前記機能部に電気的に接続された機能部側端子と、前記基板に設けられ前記電源部に電気的に接続された電源部側端子とを備えたＩＣカードと、
前記ＩＣカードを収容可能であり、収容される前記ＩＣカードの前記生体情報取得部をケース外部に露出させるように前記生体情報取得部に平面的に重なる位置に開口部を有するケース本体と、前記開口部を塞ぐように設けられ開閉可能な蓋部と、前記ケース本体に設けられ前記ケース本体に収容される前記ＩＣカードの前記機能部側端子に電気的に接続される機能部側電極と、前記ケース本体に設けられ前記ケース本体に収容される前記ＩＣカードの前記電源部側端子に電気的に接続される電源部側電極と、前記蓋部を開いた状態で、前記機能部側電極と前記電源部側電極とを電気的に接続する接続部とを備えたカードケースと
を具備することを特徴とするＩＣカードユニット。
【発明の詳細な説明】
【技術分野】
【０００１】
本発明は、カードケース、ＩＣカード及びＩＣカードユニットに関する。
【背景技術】
【０００２】
近年、ＩＤカードやクレジットカード等、個人情報を含んだカードが電子商取引等において利用されるようになっている。このようなカードの中には、不正使用を防ぐため、利用者がそのカードの正しい保有者であることを確認するための個人の生体情報を取得することにより、その個人を認証できるようになっているものもある。
【０００３】
例えば、認証に指紋情報を利用するＩＣカードが提案されている。個人の指紋情報を読み取り、読み取られた指紋の正否を認証する指紋認証チップをＩＣカードに設け、内部に記憶された認証用の指紋情報と読み取られた指紋情報とが一致するかを判断することによって、個人認証が行われる（例えば、特許文献１参照）。
【０００４】
このようなＩＣカードには、誤作動、消費電力増加等を防ぐため、例えばＩＣカードのＯＮ／ＯＦＦを制御するスイッチが取り付けられている。また、指紋認証チップはＩＣカードの表面に露出しているため、当該指紋認証チップに傷がつかないように、使用時以外にはＩＣカードをカードケースに収容するのが一般的である。  
【特許文献１】特開２００４−２２０１７５号公報
【発明の開示】
【発明が解決しようとする課題】
【０００５】
しかしながら、ＩＣカードがカードケースに収容されている場合、スイッチも指紋センサもカードケース内にあるため、この状態からＩＣカードの電源をＯＮにして生体情報を取得させるには、利用者はカードケースからいちいちＩＣカードを取り出さなくてはならない。特に利用者がＩＣカードを頻繁に利用する場合、ＩＣカードを利用する度にカードケースに収容したり取り出したりするのは煩雑である。また、ＩＣカードを頻繁に出し入れしていると、指紋認証チップにも傷がつきやすくなってしまう。
【０００６】
以上のような事情に鑑み、本発明の目的は、ＩＣカードを収容したままでも、当該ＩＣカードを利用可能にすることができるカードケース、ＩＣカード及びＩＣカードユニットを提供することにある。
【課題を解決するための手段】
【０００７】
上記目的を達成するため、本発明に係るカードケースは、生体情報を取得する生体情報取得部を含み前記生体情報取得部から取得された生体情報を認証したときにカード外部との通信を行うように機能する機能部と、前記機能部に電力を供給する電源部とを有するＩＣカードを収容するカードケースであって、前記ＩＣカードを収容可能であり、収容される前記ＩＣカードの前記生体情報取得部をケース外部に露出させるように前記生体情報取得部に平面的に重なる位置に開口部を有するケース本体と、前記開口部を塞ぐように設けられ、開閉可能な蓋部と、前記ケース本体に設けられ、前記ケース本体に収容される前記ＩＣカードの前記機能部に電気的に接続される機能部側電極と、前記ケース本体に設けられ、前記ケース本体に収容される前記ＩＣカードの前記電源部に電気的に接続される電源部側電極と、前記蓋部を開いた状態で、前記機能部側電極と前記電源部側電極とを電気的に接続する接続部とを具備することを特徴とする。
【０００８】
本発明においては、ＩＣカードを収容した状態で蓋部を開くと、機能部側電極と電源部側電極とが電気的に接続され、ＩＣカードの機能部に電力が供給される。ＩＣカードの機能部に電力が供給されることにより、生体情報取得部を含む機能部が機能するようになる。また、ＩＣカードを収容した状態で蓋部を開くと、ケース外部に生体情報取得部が露出し、ケース外部からでもＩＣカードに生体情報を取得させることができる。  
これにより、ＩＣカードを収容したままでも、当該ＩＣカードを利用可能にすることができる。例えば機能部に電力を供給させるためのスイッチが設けられたＩＣカードを収容する場合であっても、当該ＩＣカードを取り出してスイッチを操作する必要はない。
【０００９】
また、前記接続部が、前記蓋部を閉じた状態で、前記機能部側電極と前記電源部側電極とを電気的に遮断することが好ましい。  
このような構成によれば、ＩＣカードを収容した状態であっても蓋部を閉じたときには機能部に電力が供給されることが無いため、ＩＣカードを使用しない場合に電力が供給されるのを防ぐことができ、例えばＩＣカードの誤作動を抑止することができる。また、蓋部を開けた状態のみ機能部に電力を供給するため、省消費電力化を図ることができる。
【００１０】
また、前記接続部が、前記機能部側電極に接続され、前記開口部の近傍に端部を有する第１配線と、前記電源部側電極に接続され、前記第１配線とは接続されないように前記開口部の近傍に端部を有する第２配線と、前記蓋部を開いた状態で、前記第１配線の端部及び前記第２配線の端部に当接するように設けられた電極とを有することが好ましい。  
このような構成では、第２配線の端部が第１配線の端部の近傍に設けられているので、それぞれの配線の端部に当接させる電極を小さく形成することができる。この場合、前記電極が、前記蓋部に設けられていることが好ましい。特に、蓋部に電極を形成する場合、蓋部の限られた範囲内に電極を形成する必要があるため、小さく形成できることの意義は大きい。
【００１１】
本発明の別の観点に係るＩＣカードは、基板と、前記基板に設けられ、生体情報を取得する生体情報取得部を含み、前記生体情報取得部から取得された生体情報を認証したときにカード外部との通信を行うように機能する機能部と、前記基板に設けられ、前記機能部に電力を供給する電源部と、前記機能部に電気的に接続されるように前記基板に設けられ、上記のカードケース内で、前記機能部側電極に電気的に接続される機能部側端子と、前記電源部に電気的に接続されるように前記基板に設けられ、上記のカードケース内で、前記電源部側電極に電気的に接続される電源部側端子とを具備することを特徴とする。
【００１２】
本発明においては、上記のカードケースに収容されたときには、基板に設けられた機能部側端子と電源部側端子とが、当該カードケースの接続部（第１配線、第２配線及び電極）を介して電気的に接続される。これにより、上記のカードケースに収容されている場合でも、電源部は機能部に電力を供給することができ、電力を供給された機能部は機能することができる。
【００１３】
本発明の別の観点に係るＩＣカードユニットは、基板と、前記基板に設けられ生体情報を取得する生体情報取得部を含み前記生体情報取得部から取得された生体情報を認証したときにカード外部との通信を行うように機能する機能部と、前記基板に設けられ前記機能部に電力を供給する電源部と、前記基板に設けられ前記機能部に電気的に接続された機能部側端子と、前記基板に設けられ前記電源部に電気的に接続された電源部側端子とを備えたＩＣカードと、前記ＩＣカードを収容可能であり、収容される前記ＩＣカードの前記生体情報取得部をケース外部に露出させるように前記生体情報取得部に平面的に重なる位置に開口部を有するケース本体と、前記開口部を塞ぐように設けられ開閉可能な蓋部と、前記ケース本体に設けられ前記ケース本体に収容される前記ＩＣカードの前記機能部側端子に電気的に接続される機能部側電極と、前記ケース本体に設けられ前記ケース本体に収容される前記ＩＣカードの前記電源部側端子に電気的に接続される電源部側電極と、前記蓋部を開いた状態で、前記機能部側電極と前記電源部側電極とを電気的に接続する接続部とを備えたカードケースとを具備することを特徴とする。
【００１４】
本発明では、ＩＣカードがカードケースに収容された状態でカードケースの蓋部を開くと、ＩＣカードの機能部と電源部とがケース本体に設けられた接続部（第１配線、第２配線及び電極）によって電気的に接続され、ＩＣカードの機能部に電力が供給される。また、ＩＣカードがカードケースに収容された状態で蓋部を開くと、ＩＣカードの生体情報取得部がカードケースの外部に露出し、カードケースの外部からでもＩＣカードに生体情報を取得させることが可能になる。これにより、ＩＣカードをカードケースに収容したままでも、当該ＩＣカードを利用することができる。
【発明を実施するための最良の形態】
【００１５】
本発明の第１実施形態を図面に基づき説明する。  
図１は、本実施形態に係るＩＣカードユニット５０の構成を示す平面図である。ＩＣカードユニット５０は、カードを収容するカードケース３０と、当該カードケース３０に収容されたＩＣカード１とを主体として構成されている。ＩＣカード１は、例えばクレジットカードやキャッシュカード、社員証カード等、所有者の個人情報が記録され使用時に認証を行う必要があるカード等が挙げられる。
【００１６】
図２は、ＩＣカード１の構成を示す斜視図である。  
ＩＣカード１は、カード基板２と、機能部３と、電源部４と、スイッチ６とを主体として構成されている。当該ＩＣカード１は、例えばクレジットカードとほぼ同じ大きさのカードである。スイッチ６をＯＮにすることで、電源部４から機能部３に電力を供給できるようになっている。当該ＩＣカード１では、例えばこのスイッチ６が押された場合に、機能部３へ供給する電力のＯＮとＯＦＦとが切り替えられるように設定されており、長時間押しっぱなしにされた場合には、ＯＦＦになるように設定されている。
【００１７】
カード基板２は、例えばプラスチック等の基材２ａ、２ｂが貼り合わされてなり、機能部３、電源部４及びスイッチ６のそれぞれを保持している。基材２ａ、２ｂには、スイッチ６等を露出させるための開口部等が形成されている。
【００１８】
機能部３は、例えば人間の指に形成されている指紋を生体情報として取得し、取得された生体情報を認証し、認証が完了したときにカード外部との通信を行うように機能する。当該機能部３は、生体情報を取得する指紋センサ（生体情報取得部）７と、生体情報の認証等を行う制御部８と、カード端末等の外部装置（図示しない）と通信するための外部端子９とを主体として構成されている。
【００１９】
指紋センサ７は、指紋を生体情報として取得する際に当該指紋の形状（指紋パターン）を検出するためのセンサであり、カード基板２の表面に露出するように設けられている。この指紋センサ７は、図３に示すように、ガラス等の絶縁材料からなるセンサ基板１０と、このセンサ基板１０上に形成されたスイッチング素子１１と、このスイッチング素子１１に層間絶縁層１２の下層１２ａを介して設けられたゲート電極１３と、このゲート電極１３に接続されており層間絶縁層１２の上層１２ｃ上にマトリクス状に配置された容量検出電極１４と、この容量検出電極１４を覆うように設けられた表面絶縁層１５とを有している。なお、下層１２ａと上層１２ｃの間には、中間層１２ｂが形成されている。
【００２０】
表面に微細な凹凸形状の指紋パターンが形成された指Ｆを当該指紋センサ７の検出面７ａに接触させたとき、図４に示すように、指Ｆとマトリクス状に配置された各容量検出電極１４との間には静電容量が発生する（例えばＣ１、Ｃ２、Ｃ３）。当該静電容量Ｃ１、Ｃ２、Ｃ３は、指Ｆに形成された指紋と各容量検出電極１４との距離に応じた値となる。検出された各静電容量Ｃ１、Ｃ２、Ｃ３は、制御部８に送信されるようになっている。
【００２１】
制御部８は、図５に示すように、処理を行うためのＣＰＵ１６、ＲＯＭ１７及びＲＡＭ１８と、データを格納するデータ格納部１９と、各種演算を行う演算部２０とを有している。  
データ格納部１９は、例えばＥＥＰＲＯＭ（Electrically Erasable Programmable Read-Only Memory）からなり、ＩＣカード１のユーザが予め登録した指紋パターンのデータ（登録指紋パターン）２１と、ＩＣカード１に関する、例えばクレジットカード番号や社員番号等の情報（カード情報）２２とを格納している。  
演算部２０は、指紋センサ７で検出された静電容量Ｃ１、Ｃ２、Ｃ３の値から指Ｆと容量検出電極１４との距離の分布を算出し、当該距離の分布に基づいて指紋パターンを生成する指紋パターン生成部２３と、この指紋パターン生成部２３で生成された指紋パターンとデータ格納部１９に格納された登録指紋パターンとを比較して一致するかどうかを判断する比較判断部２４と、ＩＣカード１の通信の可否を制御する通信制御部２５と、カード情報に関する演算等を行うカード演算部２６とを有している。
【００２２】
図２に戻って、外部端子９は、情報交換を行うインターフェイスとして外部装置と直接接触する接触型ＩＣ端子２７と、外部装置との間で一定周波数の電波を受信・送信する非接触型ＩＣアンテナ４２と、機能部３に例えば配線２８ａを介して電気的に接続された機能部側端子２８と、電源部４に例えば配線２９ａを介して電気的に接続された電源部側端子２９とを有している。接触型ＩＣ端子２７、機能部側端子２８及び電源部側端子２９は、それぞれ電気的に絶縁されている。
【００２３】
次に、このように構成されたＩＣカード１を収容するカードケース３０について説明する。  
図６はカードケース３０の構成を示す斜視図であり、図７はカードケース３０を図６の矢印の方向に見た場合の図（側面図）であり、図８及び図９は開口部３６が設けられた部分を拡大して示す図である。
【００２４】
図６に示すように、カードケース３０は、ＩＣカード１を収容するケース本体３１と、当該ケース本体３１に取り付けられた蓋部３２とを主体として構成されている。  
ケース本体３１は、ＩＣカード１を収容する箱状の部材である。当該ケース本体３１は、可撓性と透明性を有する樹脂材料によって形成されている。このような樹脂材料として、例えば、アクリル、ポリイミド、ポリエチレンテレフタレート（ＰＥＴ）、ポリエチレンナフタレート（ＰＥＮ）等の寸法安定性の優れたプラスチック材料を用いることができる。
【００２５】
このケース本体３１には、カード出入口３７と、収容部３８と、開口部３６とが設けられている。カード出入口３７は、ＩＣカード１を出し入れする部分である。収容部３８は、ＩＣカード１を収容する部分である。開口部３６は、ＩＣカード１を収容した状態で当該ＩＣカード１の指紋センサ７をケース外部に露出させるように、当該指紋センサ７と平面的に重なる位置に設けられている。
【００２６】
収容部３８には、図７に示すように、機能部側電極３３と、電源部側電極３４と、突起部３９とが設けられている。ＩＣカード１を収容した状態で、機能部側電極３３はＩＣカード１の機能部側端子２８と平面的に重なる位置に、電源部側電極３４は電源部側端子２９と平面的に重なる位置にそれぞれ設けられており、突起部３９は、ＩＣカード１のスイッチ６と平面的に重なる位置に設けられている。ＩＣカード１を収容部３８に収容した状態では、機能部側電極３３と機能部側端子２８とが当接し、電源部側電極３４と電源部側端子２９とが当接し、突起部３９がスイッチ６を押下するようになっている。また、図８に示すように、配線３３ａの端部３３ｂ及び配線３４ａの端部３４ｂは、開口部３６の面３６ａにそれぞれ設けられている。端部３４ｂは端部３３ｂに近接して設けられている。
【００２７】
蓋部３２は、ケース本体３１の開口部３６を塞ぐように設けられており、開閉可能になっている。蓋部３２の表面３２ａには、スイッチ電極４０が設けられている。当該蓋部３２が開状態のときには、図９に示すように、面３２ａが開口部３６の面３６ａに当接するようになっている。なお、ここで説明したほかに、蓋部３２をスライドして開閉する構成であっても構わない。
【００２８】
このとき、面３２ａに設けられたスイッチ電極４０が配線３３ａの端部３３ｂ及び配線３４ａの端部３４ｂにそれぞれ当接し、端部３３ｂと端部３４ｂとが電気的に接続されるようになっている。このように、配線３３ａ（端部３３ｂを含む）と、配線３４ａ（端部３４ｂを含む）と、スイッチ電極４０とで、接続部３５（図６参照）を構成している。
【００２９】
図１０は、ＩＣカード１をカードケース３０に収容させた様子を示す図である。  
同図に示すように、ＩＣカード１をカードケース３０に収容させたＩＣカードユニット５０では、カードケース３０の収容部３８に設けられた突起部３９がＩＣカード１のスイッチ６押下し、スイッチ６が押しっぱなしの状態になる。したがって、この状態では、ＩＣカード１の機能部３がＯＦＦになっている。
【００３０】
図１１は、カードケース３０の蓋部３２を開いた状態を示している。蓋部３２を開くと、スイッチ電極４０が配線３３ａの端部３３ｂ及び配線３４ａの端部３４ｂにそれぞれ当接し、端部３３ｂと端部３４ｂとが電気的に接続される。端部３３ｂと端部３４ｂとが電気的に接続されると、スイッチ電極４０と、配線３３ａ、３４ａと、機能部側電極３３、電源部側電極３４とを介して、機能部３と電源部４とが電気的に接続され、機能部３がＯＮの状態になる。ＩＣカード１がカードケース３０に収容されており接触型ＩＣ端子２７が露出していないため、ＩＣカード１と外部との通信は、非接触型ＩＣアンテナ４２を介して行われるようになっている。
【００３１】
次に、上記のＩＣカードユニット５０と外部との通信について説明する。  
以下では、ＩＣカード１としては社員番号が記録された社員証カードを例に挙げ、「外部」としては、当該社員番号を認証することでドアのロックを解除する社員認証システムを例に挙げて説明する。
【００３２】
図１２は、ＩＣカードユニット５０の通信の過程を示すフローチャートである。  
ＩＣカード１がカードケース３０に収容された状態では、スイッチ６が押しっぱなしになっているので、ＩＣカード１の機能部３はＯＦＦの状態になっている。ユーザがＩＣカード１をカードケース３０に収容した状態でカードケース３０の蓋を開けると、機能部３に電力が供給され、ＩＣカード１の機能部３がＯＮの状態になる（ステップＳ１）。
【００３３】
機能部３をＯＮの状態にして、ユーザが開口部３６に露出している指紋センサ７の面７ａにカードケース３０の外部から指Ｆを当接させると、指紋センサ７は、指Ｆと各容量検出電極１４との間に発生した静電容量Ｃ１、Ｃ２、Ｃ３を検出し、その値を制御部８の指紋パターン生成部２３に送出する。
【００３４】
指紋パターン生成部２３は、静電容量Ｃ１、Ｃ２、Ｃ３の値を受信すると（ステップＳ２のＹＥＳ）、当該静電容量Ｃ１、Ｃ２、Ｃ３の値から指Ｆと容量検出電極１４との距離を算出し、当該距離に基づいて指紋パターンを生成する（ステップＳ３）。比較判断部２４は、予めデータ格納部１９に記録された登録指紋パターン２１を読み出し、ステップＳ３で生成された指紋パターンと登録指紋パターン２１とが一致するかどうかの判断（認証）を行う（ステップＳ４）。
【００３５】
比較判断部２４により指紋パターンと登録指紋パターン２１とが一致すると判断された場合（ステップＳ４のＯＫ）、通信制御部２５は、ＩＣカード１を通信可能な状態にする（ステップＳ５）。一方、指紋パターンと登録指紋パターン２１とが一致しないと判断された場合（ステップＳ４のＮＧ）、通信制御部２５は、ＩＣカード１を通信不可能な状態を維持する。
【００３６】
ＩＣカード１が通信可能な状態になったら、カード演算部２６は、非接触型ＩＣアンテナ４２を介して社員認証システムに通信開始信号を送信すると共に、データ格納部１９に格納された社員番号等、社員認証に必要な情報を送信する（ステップＳ６）。通信開始信号及び社員認証に必要な情報を受信すると、社員認証システムは、当該社員番号が登録された番号と一致するかどうかを判断する。
【００３７】
判断の結果、社員番号が一致する場合にはドアのロックを解除し、ＩＣカード１に通信終了信号を送信する。一致しない場合には、ドアのロックを解除せずに、ＩＣカード１に通信終了信号を送信する。カード演算部２６が非接触型ＩＣアンテナ４２を介して認証システムからの通信終了情報を受信すると（ステップＳ７のＹＥＳ）、通信制御部２５は、ＩＣカード１を再び通信不可能な状態にする（ステップＳ８）。
【００３８】
以上で、通信が終了する。この状態から続けて通信を行う場合には、蓋３２を閉じずに、再度ユーザが指紋センサ７の面７ａに指Ｆを当接させてＩＣカード１を通信可能な状態にさせればよい。また、ユーザが蓋部３２を閉じると、機能部３に電力が供給されなくなり、ＩＣカード１がＯＦＦの状態になる。
【００３９】
このように、本実施形態によれば、ＩＣカード１がカードケース３０に収容された状態でカードケース３０の蓋部３２を開くと、ＩＣカード１の機能部３と電源部４とがケース本体３１に設けられた接続部３５によって電気的に接続され、ＩＣカード１の機能部３に電力が供給される。また、ＩＣカード１がカードケース３０に収容された状態で蓋部３２を開くと、ＩＣカード１の指紋センサ７がカードケース３０の外部に露出し、カードケース３０の外部からでもＩＣカード１に生体情報（指紋）を取得させることが可能になる。これにより、ＩＣカード１をカードケース３０に収容したままでも、当該ＩＣカード１を利用することができる。
【００４０】
なお、本発明は、上記実施の形態に限定されるものではなく、本発明の要旨を逸脱しない範囲で種々変更し得ることは勿論である。
【図面の簡単な説明】
【００４１】
【図１】本発明の第１実施形態に係るＩＣカードユニットの構成を示す斜視図（その１）である。
【図２】本実施形態に係るＩＣカードの構成を示す斜視図である。
【図３】指紋センサの構成を示す断面図（その１）である。
【図４】指紋センサの構成を示す断面図（その２）である。
【図５】制御部の構成を示すブロック図である。
【図６】本実施形態に係るカードケースの構成を示す斜視図である。
【図７】カードケースの構成を示す側面図である。
【図８】カードケースの開口部の構成を示す斜視図（その１）である。
【図９】カードケースの開口部の構成を示す斜視図（その２）である。
【図１０】本実施形態に係るＩＣカードユニットの構成を示す斜視図（その２）である。
【図１１】本実施形態に係るＩＣカードユニットの構成を示す斜視図（その３）である。
【図１２】本実施形態に係るＩＣカードユニットの動作（通信）の工程を示すフローチャートである。
【符号の説明】
【００４２】
１…ＩＣカード  ３…機能部  ４…電源部  ５…外部端子  ６…スイッチ  ７…指紋センサ  ８…制御部  ９…外部端子  ２１…登録指紋パターン  ２８…機能部側端子  ２９…電源部側端子  ３０…カードケース  ３１…ケース本体  ３２…蓋部  ３３…機能部側電極  ３４…電源部側電極  ３３ａ、３４ａ…配線  ３３ｂ、３４ｂ…端部  ３５…接続部  ３６…開口部  ３８…収容部  ５０…ＩＣカードユニット
【図１】
2006189997.tif 000003
【図２】
2006189997.tif 000004
【図３】
2006189997.tif 000005
【図４】
2006189997.tif 000006
【図５】
2006189997.tif 000007
【図６】
2006189997.tif 000008
【図７】
2006189997.tif 000009
【図８】
2006189997.tif 000010
【図９】
2006189997.tif 000011
【図１０】
2006189997.tif 000012
【図１１】
2006189997.tif 000013
【図１２】
2006189997.tif 000014